(57)【要約】【課題】植物に対する照明管理を効率的に行うことのできる照明システム、照明装置を提供する。【解決手段】  複数の光源部を含む照明システムであって、複数の光源部のそれぞれは、発光素子と、発光素子の発光強度を制御する制御部と、所定形式の信号を無線により受信する受信部と、記憶部とを備える。受信部は、対応する光源部の調光スケジュールに関する第一情報を受信すると、記憶部に出力し、記憶部は、入力された第一情報を記憶する。制御部は、制御を開始する旨の信号が入力されると、記憶部に記憶された第一情報を読み出し、第一情報に記載された調光スケジュールに従って、発光素子の発光強度を制御する。【選択図】        図４
2018055862.tif 000002
【特許請求の範囲】
【請求項１】
複数の光源部を含む照明システムであって、
前記複数の光源部のそれぞれは、発光素子と、前記発光素子の発光強度を制御する制御部と、所定形式の信号を無線により受信する受信部と、記憶部とを備え、
前記受信部は、対応する前記光源部の調光スケジュールに関する第一情報を受信すると、前記記憶部に出力し、
前記記憶部は、入力された前記第一情報を記憶し、
前記制御部は、制御を開始する旨の信号が入力されると、前記記憶部に記憶された前記第一情報を読み出し、前記第一情報に記載された前記調光スケジュールに従って、前記発光素子の発光強度を制御することを特徴とする照明システム。
【請求項２】
前記第一情報は、所定のタイミングからの経過時間と、発光強度の基準値に対する相対値とが関連付けられた情報を含んで構成されていることを特徴とする請求項１に記載の照明システム。
【請求項３】
前記複数の光源部は、２種類以上の発光波長を有する光を発する複数の発光素子を備え、
前記第一情報は、所定のタイミングからの経過時間と、前記発光波長別の発光強度の基準値に対する相対値とが関連付けられた情報を含んで構成されていることを特徴とする請求項１又は２に記載の照明システム。
【請求項４】
前記複数の光源部は、それぞれが属するグループを識別するための第一識別子が付されており、
前記受信部は、前記第一情報と前記第一識別子に関する第二情報とを受信すると、前記第二情報に記載された前記第一識別子が、当該受信部を備えた前記光源部が属するグループに対応している場合にのみ、前記第一情報を前記記憶部に出力することを特徴とする請求項１〜３のいずれか１項に記載の照明システム。
【請求項５】
前記複数の光源部は、それぞれが属するグループごとに第一識別子が付されており、
前記受信部は、前記第一情報と前記第一識別子に関する第二情報とを受信すると、前記第一情報及び前記第二情報を前記記憶部に出力し、
前記記憶部は、入力された前記第一情報及び前記第二情報を関連付けした状態で記憶し、
前記制御部は、制御を開始する旨の信号が入力されると、前記記憶部に記憶されている前記第二情報に記載された前記第一識別子が、当該制御部を備えた前記光源部が属するグループに対応している場合にのみ、当該第二情報に関連付けされた前記第一情報を読み出し、前記第一情報に記載された前記調光スケジュールに従って、前記発光素子の発光強度を制御することを特徴とする請求項１〜３のいずれか１項に記載の照明システム。
【請求項６】
送信機能を有し、前記第一情報を入力するための情報入力装置を備え、
前記情報入力装置は、
前記調光スケジュールが記載された前記第一情報の入力を受け付け、
入力された前記第一情報と、前記調光スケジュールを設定する対象のグループに対応した前記第一識別子に関する前記第二情報とを前記光源部に送信することを特徴とする請求項４又は５に記載の照明システム。
【請求項７】
前記複数の光源部は、送信部を有し、
前記記憶部は、当該記憶部を備えた前記光源部を他の前記光源部と識別するための第二識別子に関する第三情報を記憶しており、
前記情報入力装置は、
送受信機能を有し、
前記光源部に対して所定の要求信号を送信すると、前記光源部に備えられた前記送信部から送信された前記記憶部に記憶された前記第三情報を受信し、
前記第三情報に記載された前記第二識別子に対応する前記光源部と、当該光源部が属する対象となるグループの前記第一識別子とを関連付けした後、前記第一識別子に関する前記第二情報を前記光源部に対して送信し、
前記光源部は、前記第二情報を前記記憶部に記憶することを特徴とする請求項６に記載の照明システム。
【請求項８】
前記制御部は、通電を開始する信号が入力されると、制御を開始する旨の信号が入力されたことを検知することを特徴とする請求項１〜７のいずれか１項に記載の照明システム。
【請求項９】
請求項１〜８のいずれか１項に記載の植物育成用照明システム。
【請求項１０】
照明装置であって、
発光素子と、前記発光素子の発光強度を制御する制御部と、所定形式の信号を無線により受信する受信部と、記憶部とを備え、
前記受信部は、調光スケジュールに関する第一情報を受信すると、前記記憶部に出力し、
前記記憶部は、入力された前記第一情報を記憶し、
前記制御部は、制御を開始する旨の信号が入力されると、前記記憶部に記憶された前記第一情報を読み出し、前記第一情報に記載された調光スケジュールに従って、前記発光素子の発光強度を制御することを特徴とする照明装置。
【請求項１１】
前記第一情報は、所定のタイミングからの経過時間と、発光強度の基準値に対する相対値とが関連付けられた情報を含んで構成されていることを特徴とする請求項１０に記載の照明装置。
【発明の詳細な説明】
【技術分野】
【０００１】
本発明は、照明システム、植物育成用照明システム、又は照明装置に関する。
【背景技術】
【０００２】
近年、植物を人工的に栽培する目的で、植物育成用の照明装置の開発が進んでいる（例えば、特許文献１，２参照）。
【０００３】
下記特許文献１には、植物の生長促進効果を高めるため、赤色ＬＥＤと青色ＬＥＤを搭載した植物育成用の照明装置が開示されている。また、植物には、人の体内時計と同様、植物固有の概日リズム（サーカディアンリズム）が存在しており、下記特許文献２には、この概日リズムに合わせた照明によって植物を育成するシステムが開示されている。
【先行技術文献】
【特許文献】
【０００４】
【特許文献１】実用新案登録第３１８０７７４号公報
【特許文献２】特開２０１２−１７９００９号公報
【発明の概要】
【発明が解決しようとする課題】
【０００５】
特許文献２に記載されるように、植物の効果的な生長には、植物固有の概日リズムに合わせて、照明点灯期間（明期）と照明消灯期間（暗期）を設けることが有効であるとされている。このため、効率的に植物を育成する観点からは、概日リズムに合わせて調光することが有効である。
【０００６】
ところで、この概日リズムは、生育対象となる植物に応じて異なっている。このため、生育対象とする植物に応じて、調光のスケジュールを管理する必要がある。
【０００７】
また、照明する光の波長バランス（例えば、赤色光と青色光の出力比）を変化させることで、植物の特性や生長度合を変化させることができることが知られている。このため、例えば、より歯ごたえを与えるための生長条件や、出荷時期を調整するための生長条件など、ユーザーの目的に応じて、経過時間毎の波長バランスを変えることができるシステムの実現が求められている。
【０００８】
以上の点から、点灯、照明、調光を適切に管理（調光スケジュール化）することのできる照明装置が求められている。
【０００９】
しかしながら、一つの植物工場内で扱う照明装置の搭載数は膨大であるため、各照明装置を個別にスケジュール管理することは事実上困難である。一方、全ての照明装置を一元的に管理することも考えられる。しかし、植物工場内で一品種の植物だけを同一の条件で育成することは稀であり、通常は、多品種の植物を育成したり、同一の品種であっても生長条件を異ならせて育成することが一般的である。このため、植物の品種や育成条件に応じて適切な調光スケジュールを組む必要があり、一元的な管理では対応できない。
【００１０】
また、上記の課題に対処する方法として、植物工場を複数の区画に分割し、区画ごとに一元的に管理する方法も考えられる。しかし、品種に応じて出荷タイミングを意図的に早めたり遅めたりする必要が生じる場合があり、このような事情に伴って、工場内のレイアウト変更を行う必要が生じる。区画ごとに調光スケジュールの管理を行っている工場においては、既に定められた区画の範囲内でしか調光スケジュールの変更を行うことができないため、このような事情に対して臨機応変に対応することが難しい。
【００１１】
本発明は、上記の課題に鑑み、植物に対する照明管理を効率的に行うことのできる照明システム、照明装置を提供することを目的とする。
【課題を解決するための手段】
【００１２】
本発明は、複数の光源部を含む照明システムであって、
前記複数の光源部のそれぞれは、発光素子と、前記発光素子の発光強度を制御する制御部と、所定形式の信号を無線により受信する受信部と、記憶部とを備え、
前記受信部は、対応する前記光源部の調光スケジュールに関する第一情報を受信すると、前記記憶部に出力し、
前記記憶部は、入力された前記第一情報を記憶し、
前記制御部は、制御を開始する旨の信号が入力されると、前記記憶部に記憶された前記第一情報を読み出し、前記第一情報に記載された前記調光スケジュールに従って、前記発光素子の発光強度を制御することを特徴とする。
【００１３】
上記照明システムでは、複数の光源部それぞれが記憶部を有し、この記憶部に調光スケジュールに関する第一情報が記憶されている。このため、光源部単位で予め定められた調光スケジュールに従った調光が可能となる。
【００１４】
しかも、各光源部は無線により信号の受信が可能に構成されている。このため、各光源部に対して、調光スケジュールが記載された第一情報を予め無線により各光源部に対して送信しておくことで、各光源部は自律的な調光制御を行うことができる。
【００１５】
光源部ごとに異なる調光を行う方法としては、光源部にアンテナを内蔵させ、無線を用いて制御部から各光源部に対して制御信号を送信することで調光制御を行う方法も考えられる。しかし、植物育成のための工場はある程度の広さを有しており、光源部の数も膨大になることが想定される。また、同一の領域内において複数の信号を同時に発信すると混信が発生し正常に情報を送信できない場合が起こり得る。このため、全ての光源部に対して出力を変化させる旨の信号を送るためには、ある光源部から別の光源部に対して信号を送信するというシステムを採用する必要が生じる。このような構成を採用すると、全ての光源部に信号が届くまでに時間がかかり、精度の高い制御を行うことができないおそれがある。
【００１６】
上記の構成は、出力を上昇／低下させるタイミングで、その旨の信号を送るという構成ではなく、所定の期間にわたる調光スケジュールが記載された情報（第一情報）を、各光源部自体に記憶させる点が特徴である。かかる構成とすることで、高い精度を有しながらも、ユーザの需要に応じた臨機応変な調光制御が可能となる。
【００１７】
前記第一情報は、所定のタイミングからの経過時間と、発光強度の基準値に対する相対値とが関連付けられた情報を含んで構成されているものとしても構わない。
【００１８】
ここで、前記基準値を前記光源部の発光強度の定格値としても構わない。
【００１９】
前記複数の光源部は、２種類以上の発光波長を有する光を発する複数の発光素子を備え、
前記第一情報は、所定のタイミングからの経過時間と、前記発光波長別の発光強度の基準値に対する相対値とが関連付けられた情報を含んで構成されているものとしても構わない。
【００２０】
前記複数の光源部は、それぞれが属するグループを識別するための第一識別子が付されており、
前記受信部は、前記第一情報と前記第一識別子に関する第二情報とを受信すると、前記第二情報に記載された前記第一識別子が、当該受信部を備えた前記光源部が属するグループに対応している場合にのみ、前記第一情報を前記記憶部に出力するものとしても構わない。
【００２１】
植物工場内においては、複数の品種の植物を育成したり、育成の程度を異ならせたりするなどの事情により、領域ごとに異なる調光スケジュールの下で照明する必要が生じる。
すなわち、ある領域内では、同一の調光スケジュールの下で照明し、別の領域内では、別の調光スケジュールの下で照明する必要が生じる場合がある。
【００２２】
このような事情が生じた場合において、例えば同一の調光スケジュールの下で調光制御を行う複数の光源部を同一のグループとして設定しておくことで、対象となるグループに属する光源部のみが、対応する調光スケジュールに関する第一情報を記憶する構成となる。この結果、当該グループに属する光源部は、対応する調光スケジュールに基づいて自律的に制御が行われる。
【００２３】
前記複数の光源部は、それぞれが属するグループごとに第一識別子が付されており、
前記受信部は、前記第一情報と前記第一識別子に関する第二情報とを受信すると、前記第一情報及び前記第二情報を前記記憶部に出力し、
前記記憶部は、入力された前記第一情報及び前記第二情報を関連付けした状態で記憶し、
前記制御部は、制御を開始する旨の信号が入力されると、前記記憶部に記憶されている前記第二情報に記載された前記第一識別子が、当該制御部を備えた前記光源部が属するグループに対応している場合にのみ、当該第二情報に関連付けされた前記第一情報を読み出し、前記第一情報に記載された前記調光スケジュールに従って、前記発光素子の発光強度を制御するものとしても構わない。
【００２４】
例えば同一の調光スケジュールの下で調光制御を行う複数の光源部を同一のグループとして設定しておくことで、各光源部は、当該光源部が属するグループに対応した調光スケジュールのみを選択して自律的に調光制御が行われる。
【００２５】
前記照明システムは、送信機能を有し、前記第一情報を入力するための情報入力装置を備え、
前記情報入力装置は、
前記調光スケジュールが記載された前記第一情報の入力を受け付け、
入力された前記第一情報と、前記調光スケジュールを設定する対象のグループに対応した前記第一識別子に関する前記第二情報とを前記光源部に送信する構成としても構わない。
【００２６】
情報入力装置は、タブレット型コンピュータ、ノート型コンピュータ、多機能型携帯電話（スマートフォン）など、無線通信機能と情報入力機能とを備えた装置であれば、どのような装置であっても構わない。
【００２７】
上記構成によれば、情報入力装置によって、各グループごとに、当該グループに紐付けした状態で調光スケジュールが記載された情報が入力され、各光源部に送信することができる。各光源部は、それぞれが属するグループの調光スケジュールに従って、自律的に調光制御される。
【００２８】
前記複数の光源部は、送信部を有し、
前記記憶部は、当該記憶部を備えた前記光源部を他の前記光源部と識別するための第二識別子に関する第三情報を記憶しており、
前記情報入力装置は、
送受信機能を有し、
前記光源部に対して所定の要求信号を送信すると、前記光源部に備えられた前記送信部から送信された前記記憶部に記憶された前記第三情報を受信し、
前記第三情報に記載された前記第二識別子に対応する前記光源部と、当該光源部が属する対象となるグループの前記第一識別子とを関連付けした後、前記第一識別子に関する前記第二情報を前記光源部に対して送信し、
前記光源部は、前記第二情報を前記記憶部に記憶する構成とすることができる。
【００２９】
上記の構成によれば、情報入力装置側で、光源部ごとのグループ化の設定を行うことができる。
【００３０】
なお、上記構成において、送信部と受信部を、アンテナ部が兼ねる構成として構わない。
【００３１】
前記制御部は、通電を開始する信号が入力されると、制御を開始する旨の信号が入力されたことを検知するものとしても構わない。
【００３２】
上記照明システムは、植物育成用の照明システムとして利用することができる。
【００３３】
また、本発明に係る照明装置は、
発光素子と、前記発光素子の発光強度を制御する制御部と、所定形式の信号を無線により受信する受信部と、記憶部とを備え、
前記受信部は、調光スケジュールに関する第一情報を受信すると、前記記憶部に出力し、
前記記憶部は、入力された前記第一情報を記憶し、
前記制御部は、制御を開始する旨の信号が入力されると、前記記憶部に記憶された前記第一情報を読み出し、前記第一情報に記載された調光スケジュールに従って、前記発光素子の発光強度を制御する構成とすることができる。
【００３４】
ここで、上記照明装置は、複数の発光素子が所定の方向に配列されてなる、バータイプの構造とすることができる。また、各発光素子は、例えばＬＥＤ素子とすることができる。
【００３５】
前記第一情報は、所定のタイミングからの経過時間と、発光強度の基準値に対する相対値とが関連付けられた情報を含んで構成されているものとしても構わない。
【発明の効果】
【００３６】
本発明の照明システム又は照明装置によれば、植物に対する照明管理を効率的に行うことが可能となる。
【図面の簡単な説明】
【００３７】
【図１】植物工場の模式的な図面である。
【図２】植物育成領域を上から見た模式的な図面である。
【図３Ａ】光源部の模式的な正面図である。
【図３Ｂ】光源部の模式的な側面図である。
【図４】光源部の構成を機能的に示すブロック図である。
【図５】調光スケジュールの一例を示す表である。
【図６Ａ】光源部に対して行われる初期設定の処理内容を模式的に示す図面である。
【図６Ｂ】光源部に対して行われる初期設定の処理内容を模式的に示す図面である。
【図７】各植物育成領域をグループ化するときの一例を示す表である。
【図８】光源部に対して行われるスケジュール設定の処理内容を模式的に示す図面である。
【発明を実施するための形態】
【００３８】
以下において、本発明の照明システムの実施形態につき、図面を参照して説明する。なお、以下の各図において、実際の寸法比と図面上の寸法比は必ずしも一致しない。
【００３９】
［システムの全体構成］
図１は、本発明の照明システムを含む植物工場を模式的に示す図面である。植物工場１は、植物育成領域１０と、光源部２０を備える。図１では、植物育成領域１０が３段で構成されているが、これは一例である。例えば、植物育成領域１０が１段のみで構成されていても構わないし、２段で構成されていても、４段以上で構成されていても構わない。
【００４０】
植物育成領域１０は、当該領域において生長させる対象となる植物の品種や育成方法の相違によって、複数の小領域（１０ａ，１０ｂ，１０ｃ，‥‥）に分けられている（図２参照）。図２は、図１のうちの、一の植物育成領域１０を上から見た模式的な図面である。
【００４１】
光源部２０は、植物育成領域１０を照明する。本実施形態の光源部２０は、前記の小領域（１０ａ，１０ｂ，１０ｃ，‥‥）に対応して、調光スケジュールが予め設定されている。より具体的には、各光源部２０は、照明する対象となる小領域（１０ａ，１０ｂ，１０ｃ，‥‥）において育成される植物に適した調光となるように、予め調光のスケジュールに関する情報を記憶している。このため、各光源部２０は、出力の上昇／低下、あるいはオン／オフという制御信号が逐次入力される必要がなく、自律的な制御が可能である。
【００４２】
［光源部の構成］
光源部２０の構成について、図面を参照して説明する。なお、光源部２０は「照明装置」に相当する。
【００４３】
図３Ａは、光源部２０の構成の一例を示す模式的な正面図である。図３Ｂは、図３Ａに示す光源部２０の模式的な側面図である。なお、図３Ｂは、説明の都合上、本来隠れている箇所も図示している。
【００４４】
図３Ａ〜図３Ｂに示すように、光源部２０は、一例として、外観形状が長尺な直方体状を有する筐体３１を備える。この筐体３１の内部には、長尺形状の素子基板４１を有する。素子基板４１の主面上には、複数の発光素子４３（４３ａ，４３ｂ）が素子基板４１の長手方向に沿って複数配置されている。筐体３１の発光素子４３に対向する側には開口部が設けられており、当該開口部には、光透過性の窓部材５０が設けられている。
【００４５】
筐体３１の内部には、アンテナ部６２が設けられている。アンテナ部６２は、所定の形式の無線信号の送受信が可能に構成されている。無線信号の規格は任意であるが、一例として、Wi-Fi、Bluetooth（登録商標）、EnOceanなどを用いることができる。
【００４６】
光源部２０には、素子基板４１の裏面側に所定の空間が形成されている。この空間内に、電装基板４８が設けられている。電装基板４８には、所定の信号を送受信するためのアンテナ部６２、制御部６３、記憶部６４、ドライバ６５の他（図４参照）、電源用コンデンサ、インダクタ、及びコイルなどの電装部品が配置されている（図示省略）。図４は、光源部２０の構成を機能的に示すブロック図である。例えば、制御部６３はマイコンで構成され、記憶部６４はメモリで構成される。ドライバ６５は、制御部６３から出力される制御信号に基づいて各発光素子４３に対して駆動制御を行う回路である。制御部６３は、アンテナ部６２において送受信される所定形式の無線信号を処理するための信号処理回路を含む。
【００４７】
本実施形態では、一例として、素子基板４１には、発光波長が異なる２種類の発光素子４３ａ，４３ｂが実装されている。具体的には、波長４５０ｎｍ付近の光（青色光）を放射する発光素子４３ａと、波長６６０ｎｍ付近の光（赤色光）を放射する発光素子４３ｂとが実装されている。これらの発光素子４３（４３ａ，４３ｂ）は、制御部６３からの制御信号によって、波長別に強度の変更が可能な構成である。
【００４８】
記憶部６４には、予め発光素子４３（４３ａ，４３ｂ）の、調光スケジュールを示す情報（第一情報）が記憶されている。調光スケジュールの一例としては、経過時間と発光強度の関係が規定されたものを用いることができる。図５に、調光スケジュールの一例を示す。図５では、各発光素子４３（４３ａ，４３ｂ）の発光強度が、それぞれの定格値に対する比率で規定されている。なお、図５の例では、調光内容を変化させる時間単位を１５分としているが、この単位は任意である。別の例としては、１時間単位、数時間単位、１日単位、数日単位などとすることができる。
【００４９】
また、調光内容を変化させる時間は必ずしも常に一定である必要はない。例えば、制御を開始してから１５分後に調光内容を変化させた後、４５分後に次の調光内容に変化させ、その後９０分後に次の調光内容に変化させるものとしても構わない。更に、少なくとも一部の光源部２０には、各発光素子４３（４３ａ，４３ｂ）の発光強度を常時一定に保つ旨の調光スケジュールが記憶されているものとしても構わない。
【００５０】
制御部６３は、所定の制御開始信号が与えられると、当該信号を受信してからの経過時間に従って、記憶部６４に記憶している第一情報に基づいた出力制御を行う。すなわち、光源部２０は、発光強度を変化させるタイミングが到来した時点で外部から信号が与えられる必要はなく、自律的な調光制御が可能な構成である。
【００５１】
制御開始信号としては、任意の信号を用いることができる。一例としては、光源部２０に対する通電を開始する信号をもって、制御開始信号とすることができる。すなわち、通電のためのブレーカーやスイッチをＯＮにするタイミングで、制御が開始されるものとすることができる。
【００５２】
［スケジュールの設定方法］
以下、光源部２０に対して調光スケジュールを設定する方法について、説明する。
【００５３】
図１に模式的に示したように、植物工場１には、複数の植物育成領域１０が配置されており、各植物育成領域１０を照射するために複数の光源部２０が配置されている。一部の植物育成領域１０を特定するために、所定の符号を用いることができる。一例として、棚ＩＤ、段ＩＤ、及びゾーンＩＤを組み合わせることで、一の領域が特定される。植物工場１には、棚が１〜１００まで存在し、各棚がそれぞれ５段存在し、各段内において１〜１０の小領域が分割されているとすれば、合計５０００箇所の植物育成領域１０を区別することができる。
【００５４】
（初期設定）
図６Ａ〜図６Ｂは、初期設定の様子を模式的に示すイメージ図面である。初期設定に際しては、各光源部２０と、対象となる植物育成領域１０との間での紐付けを行う。
【００５５】
具体的には、所定の情報入力装置７０と光源部２０との間で信号の送受信を行う。一例として、ユーザーが情報入力装置７０を携帯して、光源部２０の近くで所定の要求信号Ｒ１を送信する（図６Ａ参照）。光源部２０のうち、情報入力装置７０からの要求信号を正しく受信できた光源部２０は、アンテナ部６２から制御部６３に対して当該要求信号が入力される。
【００５６】
各光源部２０には、他の光源部２０と識別するための個別ＩＤ（「第二識別子」に対応する。）が付されている。この個別ＩＤに関する情報（「第三情報」に対応する。）は、各光源部２０の記憶部６４に記憶されている。制御部６３は、要求信号が入力されると、記憶部６４より個別ＩＤを読み出し、アンテナ部６２から当該個別ＩＤが記載された情報を含む信号Ｒ２を送信する（図６Ｂ参照）。
【００５７】
情報入力装置７０は、信号Ｒ２を受信すると、当該信号Ｒ２に含まれる各光源部２０の個別ＩＤを画面上に表示する。画面上に表示されるのは、現在位置における情報入力装置７０と信号の送受信を正しく行うことのできた光源部２０のリストに対応する。すなわち、現在位置の近傍に配置された光源部２０に対応する。
【００５８】
ここで、植物育成領域１０と対応付けしたい光源部２０を選択し、紐付けを行う。例えば、棚と段とゾーンによって一の植物育成領域１０を指定し、この指定された植物育成領域１０が照明対象となる光源部２０を紐付けする。より詳細な例として、第一の棚、第一段、第一のゾーンで割り当てられている植物育成領域１０_１が、光源部２０_１，２０_２，２０_３によって照明される領域である場合には、植物育成領域１０_１と、光源部２０_１，２０_２，２０_３とを紐付けする。同様に、全ての植物育成領域１０_ｉ（ｉ＝１，２，‥‥，５０００）と、当該植物育成領域１０＿ｉを照明する光源部２０_ｊ（ｊ＝１，２，‥‥）とを紐付けし、情報入力装置７０に記憶させる。
【００５９】
この処理が完了した後であれば、ユーザーが情報入力装置７０において植物育成領域１０＿ｉを指定するのみで、当該指定された植物育成領域１０＿ｉを照明する光源部２０_ｊが特定される。
【００６０】
（スケジュール設定）
ユーザーは、同一の育成条件で植物を育成する領域を、情報入力装置７０に入力する。具体的には、同一の育成条件で植物を育成する領域１０＿ｉをグループ化する（図７参照）。図７では、領域１０＿１〜１０＿３については同一グループａに設定し、領域１０＿４〜１０＿７については同一グループｂに設定している例を示している。この例では、グループａに属する領域が図２における小領域１０ａに対応し、グループｂに属する領域が図２における小領域１０ｂに対応する。
【００６１】
ユーザーは、グループごとに設定したい調光スケジュールに関する情報（第一情報）を、例えば図５に示したような形式で情報入力装置７０に入力する。情報入力装置７０には、この時点で、グループごとの調光スケジュールが記憶される。
【００６２】
上記入力が完了した後、ユーザーは、情報入力装置７０を携帯して、スケジュール設定をする対象となる植物育成領域１０＿ｉの近傍の位置で信号Ｒ３を送信する（図８参照）。送信される信号Ｒ３には、グループに関する識別子（例えば、グループａ，グループｂ，‥‥）、各グループに属する領域１０＿ｉに対応した光源部２０＿ｊに関する個別ＩＤ（第二識別子）、及び各グループに対応した調光スケジュールに関する情報（第一情報）が含まれる。グループに関する識別子が「第一識別子」に対応する。
【００６３】
各光源部２０は、アンテナ部６２において受信した信号Ｒ３を制御部６３に出力する。制御部６３は、信号Ｒ３に含まれる第二識別子が、自身の光源ＩＤと一致するときには、信号Ｒ３に含まれる調光スケジュールに関する情報を記憶部６４に記憶させる。
【００６４】
ユーザーは、植物工場１内における全ての領域において、上記の処理を行う。これにより、各光源部２０に対して対応する調光スケジュールに関する情報を記憶させることができる。
【００６５】
（調光動作）
上記の手順により、全ての光源部２０に対して調光スケジュールを記憶させた後、各光源部２０に対する通電を開始する。制御部６３は、光源部２０への通電が開始したことを認識すると、その時点をもって制御が開始したことを認識する。そして、制御部６３は、記憶部６４に記憶された調光スケジュールに従って、ドライバ６５に対して発光素子４３（４３ａ，４３ｂ）に対する通電量を経過時間に応じて制御する。
【００６６】
この構成によれば、記憶部６４に調光スケジュールに関する情報が記憶された後は、各光源部２０において自律的に調光制御が行われる。また、同一の調光条件で育成させたい領域は、ユーザーによって同一グループに設定することができるため、極めて汎用性が高い。
【００６７】
［別実施形態］
以下、別実施形態について説明する。
【００６８】
〈１〉  信号Ｒ３を受信した各光源部２０は、他のグループに属する調光スケジュールに関する情報についても記憶部６４に記憶する構成としても構わない。この場合、制御部６３は、制御を開始する旨の信号が入力されると、記憶部６４から、当該光源部２０が属するグループに対応した調光スケジュールに関する情報を選択的に読み出して、発光素子４３の制御を行うものとすることができる。
【００６９】
〈２〉  光源部２０は、通電が停止された時点で調光の制御がリセットされるものとしても構わない。この後、上記実施形態で記載した方法で記憶部６４内の調光スケジュールを書き換えた後、再び光源部２０への通電を開始することで、新たな調光スケジュールの下で植物工場１を稼働させることができる。
【００７０】
記憶部６３は不揮発性のメモリとすることができる。この場合、光源部２０への通電が停止された後であっても、記憶部６３には従前の調光スケジュールが記憶されたままである。このため、例えば、一部の植物育成領域１０＿ｉで育成する植物のみを入れ替える場合、当該領域を照明する光源部２０の調光スケジュールのみを新たに書き換えた後、植物工場１を稼働することができる。
【００７１】
〈３〉  各光源部２０が備える発光素子４３の発光波長の種類は、３種類以上であっても構わないし、１種類でも構わない。また、植物育成領域１０＿ｉに応じて、発光素子４３の発光波長の種類数が異なっていても構わない。
【００７２】
〈４〉  上記の方法は、植物工場１の全体で１種類の調光スケジュールの下で光源部２０によって照明される場合にも適用可能である。この場合、グループ化の工程は必ずしも必要ではない。
【００７３】
〈５〉  上述した初期設定の方法、及び調光スケジュールの設定方法はあくまで一例であり、本発明をこの方法に限定する趣旨ではない。また、光源部２０は、あくまで発光素子と、発光素子の発光強度を制御する制御部と、所定形式の信号を無線により受信する受信部と、記憶部とを備える構成であればよく、図３Ａ及び図３Ｂで示した形状には限定されない。
【００７４】
〈６〉  上記実施形態では、複数に分割された植物育成領域１０の場所に応じて、当該場所を照明する光源部２０に予め記憶された調光スケジュールに基づく調光が行われる構成について説明した。このようなシステムは、例えば同一の植物を生長させる際に、途中で調光を異ならせるような態様にも利用可能である。
【００７５】
一例として、調光スケジュールＳ１が記憶された光源部２０＿ｉ1からの光で照明させるべく、植物育成領域１０＿ｊ1に植物Ｘ１を配置していた場合を想定する。この植物Ｘ１を、ある日数が経過した後に、別の調光スケジュールＳ２の下で照明させたくなった場合、当該調光スケジュールＳ２が記憶された光源部２０＿ｉ2からの光で照明させるべく、植物育成領域１０＿ｊ2にこの植物Ｘ１を移動させるものとすることができる。
【００７６】
植物によっては、生長の過程で調光の態様を変えることが好ましい場合がある。また、外的な要因により、生長の速度を早めたり逆に遅めたりすることが希望される場合がある。このような場合に、光源部２０内に記憶された調光スケジュールを書き換える代わりに、好ましい調光スケジュールが記憶されている光源部２０によって照明される植物育成領域２０内に対象となる植物自体を移動することで対処することができる。
【００７７】
つまり、異なる調光スケジュールが記憶されている光源部２０によって照明される領域に植物自体を移動させる態様についても、本発明の範囲内である。
【００７８】
なお、この場合において、光源部２０に記憶された調光スケジュールが、一日にわたって光量を一定とする旨の内容であっても構わない。例えば、調光スケジュールＳ１が、発光素子４３ａ及び４３ｂを２４時間にわたって１００％の出力で発光させる内容であり、調光スケジュールＳ２が、発光素子４３ａを８０％、発光素子４３ｂを８５％の出力で２４時間にわたって発光させる内容であるとする。このとき、調光スケジュールＳ１が記憶された光源部２０＿ｉ1からの光で照明させるべく、植物育成領域１０＿ｊ1に植物Ｘ１を配置し、数日が経過した後に、調光スケジュールＳ２が記憶された光源部２０＿ｉ2からの光で照明させるべく、植物育成領域１０＿ｊ2にこの植物Ｘ１を移動させるものとしても構わない。
【符号の説明】
【００７９】
１      ：    植物工場
１０      ：    植物育成領域
２０      ：    光源部
３１      ：    筐体
４１      ：    素子基板
４３      ：    発光素子
４８      ：    電装基板
５０      ：    窓部材
６２      ：    アンテナ部
６３      ：    制御部
６４      ：    記憶部
６５      ：    ドライバ
【図１】
2018055862.tif 000003
【図２】
2018055862.tif 000004
【図３Ａ】
2018055862.tif 000005
【図３Ｂ】
2018055862.tif 000006
【図４】
2018055862.tif 000007
【図５】
2018055862.tif 000008
【図６Ａ】
2018055862.tif 000009
【図６Ｂ】
2018055862.tif 000010
【図７】
2018055862.tif 000011
【図８】
2018055862.tif 000012